(57)【要約】【課題】ある放送波を一定時間記録したときに、その時間中に複数の番組が放送された場合でも、各番組ごとに番組名称を記録するようリストを作成する、記録再生装置を提供することを目的とするものである。【解決手段】記録再生装置Ｍの集積制御部５は、放送波受信部３や情報取得部４で取得した情報を元に、放送波切替り判定部５ｃにより放送波の切替りと判断した場合は、記録停止部５ｂにより記録を一旦停止した後、記録開始部５ａにより再び記録を開始することにより、連続して放送波を記録中であっても番組ごとにリストを作成することができる。【選択図】図１
2012182692.tif 000002
【特許請求の範囲】
【請求項１】
放送波を受信して記録すると共に再生できる記録再生装置において、
放送波を受信する放送波受信部と、
前記放送波受信部で受信している放送波の記録を開始させる記録開始部と、
前記記録開始部により開始した放送波の記録を停止させる記録停止部と、
前記記録停止部により記録が停止されるまで前記放送波を記録する放送波保存部と、
前記放送波保存部に記録している放送波に対応した番組リストを作成する番組リスト作成部と、
前記番組リスト作成部により作成した番組リストを記録内容として表示する表示部と、を備えることを特徴とする記録再生装置。
【請求項２】
前記記録再生装置は、前記記録開始部により開始した放送波の記録中に、前記放送波の切替りを判断する放送波切替り判定部とを備え、
前記放送波切替り判定部において放送波が切替ったと判定されたときに、前記記録停止部により記録を一旦停止した後、前記記録開始部により再び記録を開始することを特徴とする請求項１に記載の記録再生装置。
【請求項３】
前記記録再生装置は、外部から情報を取得することができる情報取得部を備え、
前記番組リスト作成部は、前記放送波又は前記情報取得部の少なくとも１つから取得できる前記放送波に関する情報を取得して番組リストを作成することを特徴とし、
前記放送波切替り判定部は、前記放送波又は前記情報取得部の少なくとも１つから取得できる前記放送波の切替り時刻又は切替りタイミングを元に前記放送波の切替りを判断することを特徴とする請求項１又は請求項２に記載の記録再生装置。
【発明の詳細な説明】
【技術分野】
【０００１】
本発明は、テレビやラジオなどで放送波を記録する際に、番組ごとにリストを作成する記録再生装置に関するものである。
【背景技術】
【０００２】
従来の記録再生装置として、放送波記録中に複数の番組を記録した際には、番組名の代わりに録画した放送局名を記録する手段を提案しているものが知られている（例えば特許文献１参照）。
【先行技術文献】
【特許文献】
【０００３】
【特許文献１】特開２００２−２７３８０号公報
【発明の概要】
【発明が解決しようとする課題】
【０００４】
しかしながら、従来の記録再生装置においては、記録されている複数の番組の内容を放送局名のみから判断すことは困難であり、また複数の番組の内、所望の番組の先頭から再生しようとする場合、早送り再生や巻戻し再生を駆使する必要があり、大変煩わしいという問題があった。
【０００５】
そこで本発明は、従来の問題を解決するためになされたものであって、放送波の記録中に複数の番組が連続して放送された場合でも、番組ごとに分割して番組情報リストを作成することのできる記録再生装置を提供することを目的とする。
【課題を解決するための手段】
【０００６】
上記目的を達成するために本発明の記録再生装置は、放送波を受信して記録すると共に再生できる記録再生装置において、放送波を受信する放送波受信部と、前記放送波受信部で受信している放送波の記録を開始させる記録開始部と、前記記録開始部により開始した放送波の記録を停止させる記録停止部と、前記記録停止部により記録が停止されるまで前記放送波を記録する放送波保存部と、前記放送波保存部に記録された放送波に対応した番組リストを作成する番組リスト作成部と、前記番組リスト作成部により作成した番組リストを記録内容として表示する表示部とを備えることを特徴とする。
【０００７】
また、本発明の記録再生装置は、前記記録開始部により開始した放送波の記録中に、前記放送波の切替りを判断する放送波切替り判定部とを備え、前記放送波切替り判定部において放送波が切替ったと判定されたときに、前記記録停止部により記録を一旦停止した後、前記記録開始部により再び記録を開始することを特徴とする。
【０００８】
また、本発明の記録再生装置は、外部から情報を取得することができる情報取得部を備え、前記番組リスト作成部は、前記放送波又は前記情報取得部の少なくとも１つから取得できる前記放送波に関する情報を取得して番組リストを作成することを特徴とし、前記放送波切替り判定部は、前記放送波又は前記情報取得部の少なくとも１つから取得できる前記放送波の切替り時刻又は切替りタイミングを元に前記放送波の切替りを判断することを特徴とする。
【発明の効果】
【０００９】
本発明の記録再生装置によれば、テレビやラジオなどの録画機能のある放送波受信機器
に付随する記録開始/記録停止機能を流用するだけの簡単な実装により、複数の番組が放送された場合でも番組ごとにリストを作成することで、選択再生することができるという効果を奏する。
また、携帯型の記録再生装置においてテレビやラジオを視聴中に手動で録画や録音を開始した場合でも、番組毎にリストを作成して保存するように構成されているので、後で手動録画した番組を視聴するときに、番組ごとに作成されたリストを選択することで、選択再生することができる。
【図面の簡単な説明】
【００１０】
【図１】本発明の実施の形態１における記録再生装置のブロック図
【図２】本発明の実施の形態１における記録再生装置の動作説明のためのフロー図
【発明を実施するための形態】
【００１１】
（実施の形態１）
以下、本発明の実施の形態１における記録再生装置について図面を参照しながら説明する。図１は本発明の実施の形態１における記録再生装置のブロック図である。
【００１２】
図１に示すように、本発明の記録再生装置Ｍは、表示部１と、放送波保存部２と、放送波受信部３と、情報取得部４と、集積制御部５とを備えて構成されている。
【００１３】
ここで表示部１は、放送波保存部２に記録された番組のリストを一覧として表示することができるように構成されている。
また、ユーザが録画を開始/停止、および本装置の操作をするためのタッチパネルを備えるように構成されている。
【００１４】
放送波保存部２は、放送波受信部３で受信した放送波をメモリやストレージデバイスなどへ記録することができるように構成されている。
【００１５】
放送波受信部３は、放送局から送信される放送波を受信することができるように構成されている。
【００１６】
情報取得部４は、インターネットなどの外部通信を用いて、放送される番組に関する情報を取得するように構成されている。
【００１７】
集積制御部５は、記録再生装置Ｍの各部を制御することができるように構成されると共に、記録開始部５ａと、記録停止部５ｂと、放送波切替り判定部５ｃと、番組リスト作成部５ｄとを備えて構成されている。
ここで、記録開始部５ａは、放送波受信部３より受信した放送波を、放送波保存部２へ記録を開始することができるように構成されている。
記録停止部５ｂは、記録開始部５ａにより開始した放送波の記録を停止することができるように構成されている。
【００１８】
放送波切替り判定部５ｃは、番組の開始／終了の時刻や更新タイミングに関する情報を、放送波受信部３や情報取得部４より取得し、番組の切替りを判定することができるように構成されている。なお、放送波切替り判定部５ｃで番組の切替りを判定する際には、放送波受信部３で取得した放送波に同期された番組情報を用いることで番組の切替えを判定したり、情報取得部４から放送波受信部３で受信している番組に関する情報を取得して番組の切替えを判定するように構成することができる。
【００１９】
番組リスト作成部５ｄは、放送波保存部２に記録している番組及び記録された番組の、
番組名や放送局名などの番組に関する情報を放送波受信部３や情報取得部４で取得して表示するためのリストを放送波保存部２へ作成することができるように構成されている。
【００２０】
次にこのように構成された記録再生装置Ｍにおける集積制御部５の動作処理について図を用いて説明する。図２は、集積制御部５の処理を示すフロー図である。なお、記録再生装置Ｍは、放送波受信部３を用いて放送局から送信される放送波を受信し、受信された放送波の番組を表示部１に表示している状態として説明する。
【００２１】
表示部１に番組が表示された状態でユーザにより記録再生装置Ｍに対して、現在視聴中の放送波の記録開始操作がされると（Ｓ１）、記録開始部５ａにより放送波保存部２へ放送波の記録が開始される（Ｓ２）。放送波の記録中は、ユーザにより記録再生装置Ｍに対して放送波の記録停止操作がされたかどうかを判定する（Ｓ３）。Ｓ３において放送波の記録停止操作がされた場合は（Ｓ３、Ｙｅｓ）、記録停止部５ｂにより放送波保存部２へ放送波の記録が停止され（Ｓ８）、番組リスト作成部５ｄにより番組情報が記録されリストが作成される（Ｓ９）。
【００２２】
また、Ｓ３において放送波の記録停止操作がされたなかった場合は（Ｓ３、Ｎｏ）、放送波切替り判定部５ｃにより、現在の時刻が視聴中の番組の終了時刻であるかどうかを判定する（Ｓ４）。Ｓ４において現在の時刻が視聴中の番組の終了時刻である場合は（Ｓ４、Ｙｅｓ）、記録停止部５ｂにより放送波保存部２へ放送波の記録が一旦停止され（Ｓ６）、番組リスト作成部５ｄにより番組情報が記録されリストが作成される（Ｓ７）。その後、記録開始部５ａにより再び放送波保存部２へ放送波の記録が開始される（Ｓ２）。
【００２３】
また、Ｓ４において現在の時刻が視聴中の番組の終了時刻に達していない場合は（Ｓ４、Ｎｏ）、放送波切替り判定部５ｃにより、番組の更新タイミングに関する情報を受信したかどうかを判定する（Ｓ５）。Ｓ５において番組の更新タイミングに関する情報を受信した場合（Ｓ５、Ｙｅｓ）、記録停止部５ｂにより放送波保存部２へ放送波の記録が一旦停止され（Ｓ６）、番組リスト作成部５ｄにより番組情報が記録されリストが作成される（Ｓ７）。その後、記録開始部５ａにより再び放送波保存部２へ放送波の記録が開始される（Ｓ２）。
【００２４】
さらに、Ｓ５において番組の更新タイミングに関する情報を受信していない場合（Ｓ５、Ｎｏ）、再びＳ３の判定処理に戻り処理を続ける（Ｓ３）。
【００２５】
以上より、本発明の記録再生装置Ｍは、テレビやラジオなどの放送波受信機器に付随する記録開始／記録停止機能を流用するだけの簡単な実装により、複数の番組が放送された場合でも番組ごとにリストを作成することができる。
【００２６】
なお、図２において放送波の記録停止（Ｓ６、Ｓ８）の後に番組情報を記録してリストを作成（Ｓ７、Ｓ９）しているが、放送波の記録開始（Ｓ２）時にリストを作成してもよい。
【産業上の利用可能性】
【００２７】
放送波を記録中に複数の番組が放送された場合でも、番組ごとに分割してリストを作成することで、所望の番組をリスト一覧から選択再生することができる記録再生装置であって、例えば、テレビやラジオなどで放送波を記録する際の記録再生装置として有用である。
【符号の説明】
【００２８】
１    表示部
２    放送波保存部
３    放送波受信部
４    情報取得部
５    集積制御部
５ａ  記録開始部
５ｂ  記録停止部
５ｃ  放送波切替り判定部
５ｄ  番組リスト作成部
Ｍ    記録再生装置
【図１】
2012182692.tif 000003
【図２】
2012182692.tif 000004